(57)【要約】      （修正有）【課題】プラグイン検出が可能なアクティブ光ケーブルを提供する。【解決手段】アクティブ光ケーブルコネクタプラグは、第１の電気デバイスに接続可能に構成された電気インタフェース３と、第２の電気デバイスに接続可能に構成された光ケーブルと接続するよう構成された光インタフェース５と、受信した電気信号を光信号に変換する電気光変換回路と、受信した光信号を電気信号に変換する光電気変換回路と、第１の電気デバイスの電気的特性を検出するように構成されたプラグイン検出ブロックと、第２の電気デバイスの電気的特性をエミュレートするように構成されたプラグインエミュレーションブロックと、第１の電気デバイスの検出された電気的特性を、光インタフェースを介して第２の電気デバイスに送信し、第２の電気デバイスのエミュレートされた電気的特性を、電気インタフェースを介して第１の電気デバイスに送信するよう、制御するコントローラとを備える。【選択図】図５Ａ
2013192223.tif 000002
【特許請求の範囲】
【請求項１】
第１の電気デバイスに接続可能に構成された電気インタフェースと、
第２の電気デバイスに接続可能に構成された光ケーブルと接続するよう構成された光インタフェースと、
前記電気インタフェースおよび前記光インタフェースと接続され、受信した電気信号を光信号に変換するように構成された電気光変換回路と、
前記電気インタフェースおよび前記光インタフェースと接続され、受信した光信号を電気信号に変換するように構成された光電気変換回路と、
前記電気インタフェースに接続され、前記第１の電気デバイスの電気的特性を検出するように構成されたプラグイン検出ブロックと、
前記電気インタフェースに接続され、前記第２の電気デバイスの電気的特性をエミュレートするように構成されたプラグインエミュレーションブロックと、
前記第１の電気デバイスの検出された電気的特性を、前記光インタフェースを介して前記第２の電気デバイスに送信し、前記第２の電気デバイスのエミュレートされた電気的特性を、前記電気インタフェースを介して前記第１の電気デバイスに送信するよう、前記電気光変換回路と、前記光電気変換回路と、前記プラグイン検出ブロックと、前記プラグインエミュレーションブロックと、に接続され制御するコントローラと、
を備えたアクティブ光ケーブルコネクタプラグ。
【請求項２】
請求項１に記載のアクティブ光ケーブルコネクタプラグであって、
前記コントローラは、前記電気光変換回路に電気信号を送信するように構成され、
前記電気光変換回路は、前記電気信号を光信号に変換し、低速モードで前記光インタフェースを介して前記光信号を送信するよう構成される、
アクティブ光ケーブルコネクタプラグ。
【請求項３】
請求項２に記載のアクティブ光ケーブルコネクタプラグであって、
前記光電気変換回路は、前記光インタフェースから受信した光信号を電気信号に変換し、
前記コントローラは、前記低速モードで前記光電気変換回路から前記電気信号を受信するよう構成される、
アクティブ光ケーブルコネクタプラグ。
【請求項４】
請求項１に記載のアクティブ光ケーブルコネクタプラグであって、
前記電気光変換回路は、前記電気インタフェースから受信した差動電気信号を光信号に変換し、高速モードで前記光インタフェースを介して前記光信号を送信するよう構成される、
アクティブ光ケーブルコネクタプラグ。
【請求項５】
請求項４に記載のアクティブ光ケーブルコネクタプラグであって、
前記電気光変換回路は、クロック回路及びデータリカバリ回路を含む、
アクティブ光ケーブルコネクタプラグ。
【請求項６】
請求項４に記載のアクティブ光ケーブルコネクタプラグであって、
前記光電気変換回路は、前記光インタフェースから受信した光信号を差動電気信号に変換し、高速モードで前記電気インタフェースへ前記差動電気信号を送信するように構成される、
アクティブ光ケーブルコネクタプラグ。
【請求項７】
請求項５に記載のアクティブ光ケーブルコネクタプラグであって、
前記光電気変換回路は、クロック回路及びデータリカバリ回路を含む、
アクティブ光ケーブルコネクタプラグ。
【請求項８】
請求項１に記載のアクティブ光ケーブルコネクタプラグであって、
前記光インタフェースは、前記光ケーブルの少なくとも２つの光ファイバに接続するように構成され、
前記光ケーブルは、第２のアクティブ光ケーブルコネクタプラグの光インタフェースと接続するよう構成され、
前記第２のアクティブ光ケーブルコネクタプラグは、前記第２の電子機器に接続するように構成される、
アクティブ光ケーブルコネクタプラグ。
【請求項９】
請求項８に記載のアクティブ光ケーブルコネクタプラグであって、
前記コントローラは、前記第２のアクティブ光ケーブルコネクタプラグからの応答がない場合、あるいは、前記第１と第２の電気デバイスのどちらからも前記光ケーブルにより検出されない場合、待機モードになり、前記第２のアクティブ光ケーブルコネクタプラグから光信号の入力がある場合に、前記待機モードが解除されるよう構成される、
アクティブ光ケーブルコネクタプラグ。
【請求項１０】
請求項９に記載のアクティブ光ケーブルコネクタプラグであって、
前記コントローラは、電力をセーブするために前記待機モードにおいて前記電気光変換回路をオフにし、前記待機モードが解除されるときに前記電気光変換回路を再起動するように構成される、
アクティブ光ケーブルコネクタプラグ。
【請求項１１】
請求項９に記載のアクティブ光ケーブルコネクタプラグであって、
前記コントローラは、前記第１の電気デバイスから入力される外部信号に予め設定されたレベル変化がある場合に、前記待機モードを解除するように構成される、
アクティブ光ケーブルコネクタプラグ。
【請求項１２】
請求項１に記載のアクティブ光ケーブルコネクタプラグであって、
前記電気インタフェースは、USB 3.0規格に従い、
前記プラグイン検出ブロックによって検出された前記第１の電気デバイスの電気的特性は、デバイスタイプ情報を含む、
アクティブ光ケーブルコネクタプラグ。
【請求項１３】
請求項１に記載のアクティブ光ケーブルコネクタプラグであって、
前記プラグインエミュレーションブロックは、前記第１の電気デバイスと前記第２の電気デバイスの間の銅ケーブル接続の電気的応答に基づいて、第２の電気デバイスの電気的特性をエミュレートするように構成される、
アクティブ光ケーブルコネクタプラグ。
【請求項１４】
遠端と近端とを有する少なくとも２つのファイバを有する光ケーブルと、
前記光ケーブルの前記近端に接続される第１のコネクタプラグと、
前記光ケーブルの前記遠端に接続される第２のコネクタプラグと、を備え、
前記第１のコネクタプラグは、第１の電気デバイスに接続され、
前記第２のコネクタプラグは、第２の電気デバイスに接続されており、
前記第１及び第２のコネクタプラグは、それぞれ、
前記近端で前記第１の電気デバイスに接続可能に構成された電気インタフェースと、
前記光ケーブルの前記少なくとも２つの光ファイバに接続された光インタフェースと、
前記電気インタフェースおよび前記光インタフェースと接続され、受信した電気信号を光信号に変換するように構成された電気光変換回路と、
前記電気インタフェースおよび前記光インタフェースと接続され、受信した光信号を電気信号に変換するように構成された光電気変換回路と、
前記電気インタフェースに接続され、前記第１の電気デバイスの電気的特性を検出し、当該検出された電気的特性を前記第２の電気デバイスに送信するように構成されたプラグイン検出ブロックと、
前記電気インタフェースに接続され、前記第２の電気デバイスの前記電気的特性をエミュレートするように構成されたプラグインエミュレーションブロックと、
前記第１の電気デバイスの検出された電気的特性を、前記光インタフェースを介して前記第２の電気デバイスに送信し、前記第２の電気デバイスのエミュレートされた電気的特性を、前記電気インタフェースを介して前記第１の電気デバイスに送信するよう、前記電気光変換回路と、前記光電気変換回路と、前記プラグイン検出ブロックと、前記プラグインエミュレーションブロックと、に接続され制御するコントローラと、を備えた、
アクティブ光ケーブル。
【請求項１５】
請求項１４に記載のアクティブ光ケーブルであって、
前記コントローラは、前記電気光変換回路に電気信号を送信するように構成され、
前記電気光変換回路は、前記電気信号を光信号に変換し、低速モードで前記遠端側の電気デバイスに前記光信号を送信するよう構成される、
アクティブ光ケーブル。
【請求項１６】
請求項１５に記載のアクティブ光ケーブルであって、
前記光電気変換回路は、受信した光信号を電気信号に変換し、
前記コントローラは、前記低速モードで前記光電気変換回路から前記電気信号を受信するよう構成される、
アクティブ光ケーブル。
【請求項１７】
請求項１４に記載のアクティブ光ケーブルであって、
前記電気光変換回路は、前記電気インタフェースから受信した差動電気信号を光信号に変換し、高速モードで前記光インタフェースを介して前記光信号を送信するよう構成される、
アクティブ光ケーブル。
【請求項１８】
請求項１７に記載のアクティブ光ケーブルであって、
前記電気光変換回路は、クロック回路及びデータリカバリ回路を含む、
アクティブ光ケーブル。
【請求項１９】
請求項１７に記載のアクティブ光ケーブルであって、
前記光電気変換回路は、前記光インタフェースから受信した光信号を差動電気信号に変換し、高速モードで前記電気インタフェースへ前記差動電気信号を送信するように構成される、
アクティブ光ケーブル。
【請求項２０】
請求項１８に記載のアクティブ光ケーブルであって、
前記光電気変換回路は、クロック回路及びデータリカバリ回路を含む、
アクティブ光ケーブル。
【請求項２１】
請求項１４に記載のアクティブ光ケーブルであって、
前記コントローラは、前記第２のコネクタプラグからの応答がない場合、あるいは、前記第１と第２の電気デバイスのどちらからも前記光ケーブルにより検出されない場合、待機モードになり、前記第２のコネクタプラグから光信号の入力がある場合に、前記待機モードが解除されるよう構成される、
アクティブ光ケーブル。
【請求項２２】
請求項２１に記載のアクティブ光ケーブルであって、
前記コントローラは、電力をセーブするために前記待機モードにおいて前記電気光変換回路をオフにし、前記待機モードが解除されるときに前記電気光変換回路を再起動するように構成される、
アクティブ光ケーブル。
【請求項２３】
請求項２１に記載のアクティブ光ケーブルであって、
前記コントローラは、前記第１の電気デバイスから入力される外部信号に予め設定されたレベル変化がある場合に、前記待機モードを解除するように構成される、
アクティブ光ケーブル。
【請求項２４】
請求項１４に記載のアクティブ光ケーブルであって、
前記電気インタフェースは、USB 3.0規格に従い、
前記プラグイン検出ブロックによって検出された前記第１の電気デバイスの電気的特性は、デバイスタイプ情報を含む、
アクティブ光ケーブル。
【請求項２５】
請求項１４に記載のアクティブ光ケーブルであって、
前記プラグインエミュレーションブロックは、前記第１の電気デバイスと前記第２の電気デバイスの間の銅ケーブル接続の電気的応答に基づいて、第１の電気デバイスの電気的特性をエミュレートするように構成される、
アクティブ光ケーブル。
【請求項２６】
請求項１４に記載のアクティブ光ケーブルであって、
前記光ケーブルは、電力線及びグラウンド線を備える、
アクティブ光ケーブル。
【発明の詳細な説明】
【技術分野】
【０００１】
本願発明は、電気的及び光学的な通信技術にかかり、特に、銅線に基づく既存のプロトコルに適合するプラグイン検出が可能なアクティブ光ケーブルコネクタプラグ及びアクティブコネクタプラグを用いたアクティブ光ケーブルに関する。
【背景技術】
【０００２】
（関連出願の相互参照）
本願は、２０１２年３月６日の米国仮特許出願Ｎｏ．６１／６０７，００２の優先権主張の利益を享受するものであり、当該出願に記載された内容は、本明細書に含まれるものとする。
【０００３】
USB 3.0のような現代の高速データ・バス規格、DisplayPort、ミニDisplayPort(HDMI)等は、データ伝送媒体として銅線を使用している。銅線を光ファイバに置き換えることは次の点で有益である。
【０００４】
１．銅線より少ない信号減衰で長い転送距離をサポートする。
２．より早いデータ転送速度をサポートする。
３．差動ペアの線長があわないことによるジッターを減少する。
４．インピーダンスがあわないことによる電磁波障害を減少する。
５．ケーブル材料コストがより安い。
６．ケーブルサイズを縮小する。
【０００５】
データ伝送を開始するために、ケーブルの一端に取付けられた第１のデータノードは、ケーブルの他端（反対側の端）で第２のデータノードのプラグインを検出しなければならない。この検出プロセスは、ケーブル端に接続されたノード（ホスト、デバイス、ハブなど）のタイプを識別するために使用される。銅媒体による従来例では、プラグインの検出は、ケーブルにおける銅線全体の電気的特性の変更の検出によって行われる。
【０００６】
図１は、従来例における銅ケーブルにより接続される２つのデータノードの例を示す。図１に示すように、ケーブルが第１のノード１に接続すると、ノード１内の検出回路１１は、ケーブルにおける指定された銅線全体の電気的特性をモニタする。第２のノード２がケーブルに接続されると、そのアイデンティティ回路２２は、銅線全体の電気的特性の変化によって、指定された配線に接続される。上記特性は、電圧、抵抗、電流、あるいは他の測定可能な電気的特性であってもよい。図２は、銅ケーブルのプラグイン検出メカニズムを示す。
【発明の概要】
【発明が解決しようとする課題】
【０００７】
銅線が光ファイバに置き換わると、光電気変換器は、送信のために電気信号を光信号に変換することを要求される。受信側では、光信号は電気光変換器によって電気信号に戻される。この電気−光−電気の変換のため、プラグインによって生じる電気的特性の変化は、もはやケーブル全体で検出することができないため、プラグインの検出プロトコルは利用できない。図３は、プラグインの検出能力のない従来のアクティブ光ケーブル（ＡＯＣ）の例を示す。図４Ａは、一般的なＡＯＣ構造の例を示す。図４Ｂは、電力線とグラウンド線を備える一般的なＡＯＣ構造の例を示す。
【課題を解決するための手段】
【０００８】
本発明の対象となるアクティブ光ケーブルコネクタプラグの一形態は、第１の電気デバイスに接続可能に構成された電気インタフェースと、第２の電気デバイスに接続可能に構成された光ケーブルと接続するよう構成された光インタフェースと、前記電気インタフェースおよび前記光インタフェースと接続され、受信した電気信号を光信号に変換するように構成された電気光変換回路と、前記電気インタフェースおよび前記光インタフェースと接続され、受信した光信号を電気信号に変換するように構成された光電気変換回路と、前記電気インタフェースに接続され、前記第１の電気デバイスの電気的特性を検出するように構成されたプラグイン検出ブロックと、前記電気インタフェースに接続され、前記第２の電気デバイスの電気的特性をエミュレートするように構成されたプラグインエミュレーションブロックと、前記第１の電気デバイスの検出された電気的特性を、前記光インタフェースを介して前記第２の電気デバイスに送信し、前記第２の電気デバイスのエミュレートされた電気的特性を、前記電気インタフェースを介して前記第１の電気デバイスに送信するよう、前記電気光変換回路と、前記光電気変換回路と、前記プラグイン検出ブロックと、前記プラグインエミュレーションブロックと、に接続され制御するコントローラと、を備える。
【０００９】
前記コントローラは、前記電気光変換回路に電気信号を送信するように構成されてもよく、前記電気光変換回路は、前記電気信号を光信号に変換し、低速モードで前記光インタフェースを介して前記光信号を送信するよう構成されてもよい。
前記光電気変換回路は、前記光インタフェースから受信した光信号を電気信号に変換してもよく、前記コントローラは、前記低速モードで前記光電気変換回路から前記電気信号を受信するよう構成されてもよい。
【００１０】
前記電気光変換回路は、前記電気インタフェースから受信した差動電気信号を光信号に変換し、高速モードで前記光インタフェースを介して前記光信号を送信するよう構成されてもよい。
前記電気光変換回路は、クロック回路及びデータリカバリ回路を含んでいてもよい。
前記光電気変換回路は、前記光インタフェースから受信した光信号を差動電気信号に変換し、高速モードで前記電気インタフェースへ前記差動電気信号を送信するように構成されてもよい。
前記光電気変換回路は、クロック回路及びデータリカバリ回路を含んでいてもよい。
【００１１】
前記光インタフェースは、前記光ケーブルの少なくとも２つの光ファイバに接続するように構成されてもよい。前記光ケーブルは、第２のアクティブ光ケーブルコネクタプラグの光インタフェースと接続するよう構成されてもよい。前記第２のアクティブ光ケーブルコネクタプラグは、前記第２の電子機器に接続するよう構成されてもよい。
【００１２】
前記コントローラは、前記第２のアクティブ光ケーブルコネクタプラグからの応答がない場合、あるいは、前記第１と第２の電気デバイスのどちらからも前記光ケーブルにより検出されない場合、待機モードになり、前記第２のアクティブ光ケーブルコネクタプラグから光信号の入力がある場合に、前記待機モードが解除されるよう構成されてもよい。
前記コントローラは、電力をセーブするために前記待機モードにおいて前記電気光変換回路をオフにし、前記待機モードが解除されるときに前記電気光変換回路を再起動するように構成されてもよい。
前記コントローラは、前記第１の電気デバイスから入力される外部信号に予め設定されたレベル変化がある場合に、前記待機モードを解除するように構成されてもよい。
【００１３】
前記電気インタフェースは、USB 3.0規格に従い、前記プラグイン検出ブロックによって検出された前記第１の電気デバイスの電気的特性は、デバイスタイプ情報を含むよう構成されてもよい。
前記プラグインエミュレーションブロックは、前記第１の電気デバイスと前記第２の電気デバイスの間の銅ケーブル接続の電気的応答に基づいて、第２の電気デバイスの電気的特性をエミュレートするように構成されてもよい。
【００１４】
本発明の他の形態であるアクティブ光ケーブルは、遠端と近端とを有する少なくとも２つのファイバを有する光ケーブルと、前記光ケーブルの前記近端に接続される第１のコネクタプラグと、前記光ケーブルの前記遠端に接続される第２のコネクタプラグと、を備え、前記第１のコネクタプラグは、第１の電気デバイスに接続され、前記第２のコネクタプラグは、第２の電気デバイスに接続されており、前記第１及び第２のコネクタプラグは、それぞれ、前記近端で前記第１の電気デバイスに接続可能に構成された電気インタフェースと、前記光ケーブルの前記少なくとも２つの光ファイバに接続された光インタフェースと、前記電気インタフェースおよび前記光インタフェースと接続され、受信した電気信号を光信号に変換するように構成された電気光変換回路と、前記電気インタフェースおよび前記光インタフェースと接続され、受信した光信号を電気信号に変換するように構成された光電気変換回路と、前記電気インタフェースに接続され、前記第１の電気デバイスの電気的特性を検出し、当該検出された電気的特性を前記第２の電気デバイスに送信するように構成されたプラグイン検出ブロックと、前記電気インタフェースに接続され、前記第２の電気デバイスの前記電気的特性をエミュレートするように構成されたプラグインエミュレーションブロックと、前記第１の電気デバイスの検出された電気的特性を、前記光インタフェースを介して前記第２の電気デバイスに送信し、前記第２の電気デバイスのエミュレートされた電気的特性を、前記電気インタフェースを介して前記第１の電気デバイスに送信するよう、前記電気光変換回路と、前記光電気変換回路と、前記プラグイン検出ブロックと、前記プラグインエミュレーションブロックと、に接続され制御するコントローラと、を備える。
【００１５】
前記コントローラは、前記電気光変換回路に電気信号を送信するように構成されてもよい。前記電気光変換回路は、前記電気信号を光信号に変換し、低速モードで前記遠端側の電気デバイスに前記光信号を送信するよう構成されてもよい。
前記光電気変換回路は、受信した光信号を電気信号に変換するよう構成されてもよい。前記コントローラは、前記低速モードで前記光電気変換回路から前記電気信号を受信するよう構成されてもよい。
【００１６】
前記電気光変換回路は、前記電気インタフェースから受信した差動電気信号を光信号に変換し、高速モードで前記光インタフェースを介して前記光信号を送信するよう構成されてもよい。
前記電気光変換回路は、クロック回路及びデータリカバリ回路を含むよう構成されてもよい。
前記光電気変換回路は、前記光インタフェースから受信した光信号を差動電気信号に変換し、高速モードで前記電気インタフェースへ前記差動電気信号を送信するように構成されてもよい。
前記光電気変換回路は、クロック回路及びデータリカバリ回路を含むよう構成されてもよい。
【００１７】
前記コントローラは、前記第２のコネクタプラグからの応答がない場合、あるいは、前記第１と第２の電気デバイスのどちらからも前記光ケーブルにより検出されない場合、待機モードになり、前記第２のコネクタプラグから光信号の入力がある場合に、前記待機モードが解除されるよう構成されてもよい。
前記コントローラは、電力をセーブするために前記待機モードにおいて前記電気光変換回路をオフにし、前記待機モードが解除されるときに前記電気光変換回路を再起動するように構成されてもよい。
前記コントローラは、前記第１の電気デバイスから入力される外部信号に予め設定されたレベル変化がある場合に、前記待機モードを解除するように構成されてもよい。
【００１８】
前記電気インタフェースは、USB 3.0規格に従い、前記プラグイン検出ブロックによって検出された前記第１の電気デバイスの電気的特性は、デバイスタイプ情報を含むよう構成されてもよい。
前記プラグインエミュレーションブロックは、前記第１の電気デバイスと前記第２の電気デバイスの間の銅ケーブル接続の電気的応答に基づいて、第１の電気デバイスの電気的特性をエミュレートするように構成されてもよい。
前記光ケーブルは、電力線及びグラウンド線を備えていてもよい。
【図面の簡単な説明】
【００１９】
【図１】従来例における銅ケーブルによって接続されている２つのデータノードを示す。
【図２】銅ケーブルのプラグイン検出メカニズムを示す。
【図３】プラグイン検出能力のない従来のアクティブ光ケーブル（ＡＯＣ）を示す。
【図４Ａ】一般的なＡＯＣ構造を示す。
【図４Ｂ】電力線とグラウンド線を備える一般的なＡＯＣ構造を示す。
【図５Ａ】本願発明の一実施形態におけるＡＯＣコネクタプラグの構造を示すブロック図である。
【図５Ｂ】他の例における電力線とグラウンド線を備えるＡＯＣコネクタプラグの構造を示すブロック図である。
【図６Ａ】本願発明の他の例におけるＡＯＣコネクタプラグを使用してプラグインを検出する方法を示すフローチャートである。
【図６Ｂ】本願発明の他の例におけるＡＯＣコネクタプラグを使用してプラグインを検出する方法を示すフローチャートである。
【図７】従来の銅ケーブルでUSB 3.0システムの検出メカニズムを示すブロック図である。
【図８】本願の他の例におけるＡＯＣコネクタプラグを使用するUSB 3.0システムの実施例を示すブロック図である。
【図９】本願の他の例におけるUSB 3.0 ＡＯＣのプラグイン検出の動作フローを示す。
【図１０】従来の銅ケーブルを用いたHSIOシステムの検出メカニズムを示す。
【図１１】本願の他の例におけるＡＯＣコネクタプラグを使用したHSIOシステムの実施例を示すブロック図である。
【図１２】本願の他の例におけるHSIO AOCのプラグイン検出の動作フローを示す。
【図１３】ケーブルまたはリンクダウンの状態監視プロセスを示すフローチャートである。
【発明を実施するための形態】
【００２０】
以下では、本特許出願におけるアクティブ光ケーブルコネクタプラグ及びアクティブ光ケーブルコネクタプラグを使用するアクティブ光ケーブルの実施形態を説明する。本特許出願のアクティブ光ケーブルコネクタプラグ及びアクティブ光ケーブルコネクタプラグを使用するアクティブ光ケーブルの実施形態を詳細に説明するが、アクティブ光ケーブルコネクタプラグと、アクティブ光ケーブルコネクタプラグを使用するアクティブ光ケーブルを理解する上で特に重要でない構成については、本願発明の明瞭化のため、その記載を省略する。
【００２１】
更に、本特許出願で説明するアクティブ光ケーブルコネクタプラグ及びアクティブ光ケーブルコネクタプラグを使用するアクティブ光ケーブルは、以下で説明する詳細な実施例の構成に限定されるものではなく、本願の保護範囲から逸脱しない技術で、当業者によって様々な変更や改良をすることができる。例えば、各実施形態で示される異なる要素及び／又は機構は、本願の開示の範囲内において、相互に組み合わせられたり、置き換えることが可能である。
【００２２】
本願では、アクティブ光ケーブル（ＡＯＣ）コネクタと、ＡＯＣコネクタプラグを使用するＡＯＣについて説明する。ＡＯＣコネクタプラグを備えたＡＯＣは、USB 3.0および新しいHSIO（High Speed Input/Output）規格のような様々なシステムに適用することができる。
【００２３】
図５Ａは、本願の一実施形態におけるＡＯＣコネクタプラグの構造を示すブロック図である。図５Ａを参照すると、ＡＯＣコネクタプラグは、電気インタフェース３と、ケーブルコントローラ４０と、光インタフェース５と、電気光変換回路４３と、光電気変換回路４４と、を含む。電気光変換回路４３は、少なくとも光源（図５Ａでは図示しない）を含む。光電気変換回路４４は、少なくとも１つの光検出器（図５Ａでは図示しない）を含む。図５Ａにおける符号６は、ケーブル本体（あるいは図５Ａの中の「ケーブル」）を示し、コネクタプラグはケーブル本体６の両端に配置される。
【００２４】
図５Ａに示すように、光電気変換回路４４と電気光変換回路４３は、ケーブルコントローラによって選択された、高速と低速の両方の光送信モードで動作可能である。高速の光送信モードでは、差動電気信号は電気インタフェース３で受信され、入力パス３１を通って電気光変換回路４３の中へ送信され、光信号に変換され、光インタフェース５を通って光ファイバ６１に送信される。レシーバ側では、ファイバ６２からの光信号が、光電気変換回路４４により受信され、差動電気信号３０に変換され、出力パス３２を通って電気インタフェース３に送信される。
【００２５】
ケーブルコントローラ４０が、低速の光送信モードで光電気変換回路４４と電気光変換回路４３とを制御するとき、光電気変換回路４４と電気光変換回路４３との両方は、ＡＯＣを介して送受信されるデータの転送速度の欠点をより低減すべく消費電力を小さくする。このことは、主に、ケーブルコントローラ４０間における内部ハンドシェイク、あるいは、ＡＯＣの両端に接続されるデバイス間における低速制御信号送信、に使用される。
【００２６】
このモードでは、電気信号は、ケーブルコントローラ４０から電気光変換回路４３に送信され、光信号に変換されて、低速の光信号としてファイバ６１へ送信される。レシーバ側では、低速の光信号は、ファイバ６２から受信され、光電気変換回路４４により電気信号に変換され、その後、さらなるプロトコル処理のためにケーブルコントローラ４０に受信され、電気インタフェース３に転送される。なお、他の実施形態では、光電気変換回路４４と電気光変換回路４３とは、クロック回路とデータリカバリ回路とを含む。
【００２７】
図５Ｂに示すように、他の例では、ＡＯＣは、光ファイバを含む同じケーブルの内部に電力線とグラウンド線とを含む。この例における電力線とグラウンド線とは銅線であり、これらは、電力のみを運び、時変信号は運ばないように構成されるため、銅ケーブルでのいくつかの不都合を克服する。
【００２８】
上述した実施形態においては、電気インタフェース３は、一般的には、対応する規格によって特定されるプラグの形式であるが、これらに限定されるものではない。表１は、電気インタフェース３が適合する様々な規格のリストである。
【００２９】
ＡＯＣコネクタプラグフォーマットの種々の規格
【表１】
2013192223.tif 000003
【００３０】
上述した実施形態では、図５Ａおよび図５Ｂに示すように、電気インタフェース３は、プラグイン検出ブロック（ＰＤＢ）４１と、プラグインエミュレーションブロック（ＰＥＢ）４２と、にさらに接続される。ケーブルコネクタプラグ内のＰＤＢ４１が電気インタフェース３に接続され、当該電気インタフェース３を通じて接続デバイスの電気的特性がＡＯＣによって検出可能となる。同様に、ＰＥＢ４２が電気インタフェース３に接続され、当該電気インタフェース３を通じてその電気的特性（遠い方の端部のデバイスをエミュレートするための）が近い方の端部のデバイスによって検出可能となる。
【００３１】
図６Ａは、本発明の他の実施形態における、ＡＯＣコネクタプラグを使用してプラグインを検出する方法を説明するフローチャートである。図６Ａは、異なる規格による本発明の様々な実施形態において、プラグインを検出する基本的なプロセスを示す一般的なオペレーションフローである。規格によっては、基本プロセス間の状態遷移は異なるようにすることができる。例えば、図６Ｂに示す他の例のように、USB 3.0規格のＡＯＣの実現において、電気信号の終了イベントによって動作されるオプション状態遷移が使用される。それぞれの基本プロセスは、詳細を後述するが、USB 3.0規格に対応する図９とHSIO規格に対応する図１２に示すように、多数のステップによって構成される。同様に、規格によって、ステップの数とステップ間の状態推移の関係は異なる。
【００３２】
図６Ａに示すように、ＡＯＣコネクタプラグを使用するプラグイン検出方法は、以下のプロセスを含む。
【００３３】
電力投入（６０１）
ＡＯＣの一端に電力が投入される（接続されたホスト、他のデバイス、あるいは、外部電源によって）。この一端は、以後「第１のコネクタプラグ」と呼ぶ。
【００３４】
初期化（６０２）
２つのコネクタプラグが同期し、デバイスが両端で適切に接続される前には、ＡＯＣがホスト（あるいは他のデバイス）により検出されないため、第１のコネクタプラグは、最初にＰＥＢ４２の電気的特性を無効にする。第１のコネクタプラグは、ＰＤＢ回路４１を起動する。第１のコネクタプラグは、プラグイン検出プロセス中、光ハンドシェイクと、反対側（以後「第２のコネクタプラグ」と呼ぶ）のコネクタプラグと情報交換と、を行なうために、低速モードを開始する。
【００３５】
第１のハンドシェイク（６０３）
通常、このプロセスは、コネクタプラグに電力が供給されることがトリガになる。図６Ｂに示す他の例では、このプロセスは、詳細を後述する待機モード（６０４）において、ＡＯＣコネクタプラグの終了イベントがトリガとなる。
【００３６】
上記「第１のハンドシェイク」は、次のステップを含む。
検出：
第１のコネクタプラグは、ＰＤＢによって接続されるホストや他のデバイスの電気的特性を検出する。
【００３７】
ハンドシェイク：
第１のコネクタプラグは、検出結果を交換するために第２のコネクタプラグとハンドシェイクする。USB 3.0規格に適合すべく、ホスト又はデバイスが要求する特別なやりとりが必要かどうか判断するために、例えばホストや周辺機器などのデバイスタイプを交換する必要がある。
【００３８】
ハンドシェイクを完了するために、第１および第２のコネクタプラグの両方は、他方のコネクタプラグに、最新の検出結果とデバイス情報のために低速の光信号を送受信しなければならない。そうでなければ、他のコネクタプラグから「応答なし」とみなされ、システムは待機モードに進む。
【００３９】
エミュレーション：
第１のコネクタプラグは、第２のコネクタプラグから受信した検出結果に基づいて、ＰＥＢ４２における電気的特性をエミュレートする。ＰＥＢが電気的特性をエミュレートする時、接続されたホストまたはデバイスは、あたかもホスト又はデバイスが銅ケーブルでリモートデバイスに接続されているかのように、同じ信号応答を検出する。
【００４０】
待機モード（６０４）：
第２のコネクタプラグからの応答がない、あるいは、両端がデバイスに接続されず、ハンドシェイクが失敗したイベントの時、第１のコネクタプラグは待機モードに入る。これは、通常、第１のコネクタプラグだけがホストまたはデバイスに接続されたが、リモートサイド又は第２のコネクタプラグがまだ接続されていないときに起こりうる。このモードでは、第１のコネクタプラグが、第２のコネクタプラグから、当該第２のコネクタプラグが接続され、電力が投入され、ハンドシェイクが再開されることを表す到着光信号を待つ。これは、第１のケーブル端を、詳細に後述する「第２のハンドシェイク６０５」を行うために駆動する。
【００４１】
他の例では、図６Ｂに示すように、第１のケーブル端は、「第１のハンドシェイク６０３」へ状態遷移するために、接続されたホストやデバイスから入力される外部信号のレベルの変化をモニタする。例えば、HSIO規格では、第１のケーブルは、LSR2P TXレベルをモニタし、レベルの変化が検出されると、待機モードを終了する。
【００４２】
他の例では、第１のケーブル端は、電力を抑えるために必要のない回路、例えば、低速モードのための電気光変換回路を、パワーダウンすることができる。待機モード６０４から状態遷移する時、低速の電気光変換回路は再起動される。
【００４３】
他の例では、第１のコネクタプラグは、接続されたホストやデバイスから到着した光信号や外部信号レベル変化のいずれかによって起動される、省電力スリープモードに移行する。
【００４４】
第２のハンドシェイク（６０５）：
「第２のハンドシェイクプロセス６０５」は、「第１のハンドシェイクプロセス６０３」と同様であるが、第１のコネクタプラグが待機モードであるときに、第２のコネクタプラグから到着する光信号がトリガとなる。
【００４５】
終了（６０６）
「終了プロセス６０６」は、両コネクタプラグがホストやデバイスに適切に接続され、「第１のハンドシェイクプロセス６０３」または「第２のハンドシェイクプロセス６０５」のいずれかを通過した場合におけるプラグイン検出の最後のプロセスになる。異なる規格に応じて、いくつかの追加のプロセスがこの時点では行われる。例えば、ＡＯＣプラグイン検出が終了されたときに、USBバスリセット信号がデバイスを再起動するために送信される。
【００４６】
ＡＯＣが電力供給のための電力線とグラウンド線を有する他の例では、コネクタプラグの両方には、同時に電力が供給される。異なる光ファイバを同時に通る２つのコネクタプラグによって、低速の光信号は個別に送受信でき、ケーブルコントローラは、低速の光信号を同時に送受信するよう十分に高速に処理するので、両方のコネクタプラグは、同時に上記のオペレーションフローに続くことができる。
【００４７】
図７は、従来の銅ケーブルを用いたUSB 3.0システムにおける検出メカニズムを示すブロック図である。図８は、本願の他の実施形態におけるＡＯＣコネクタプラグを用いたUSB 3.0システムの実装を示すブロック図である。
【００４８】
図７を参照すると、USB 3.0におけるレシーバ検出回路は、SSRX+/-パス全体に配置された遠い側の端部における負荷インピーダンス（あるいは等価なDC抵抗）の存在を検出するための、SSTX+/-パス全体に配置されたトランスミッタの一部として機能する。トランスミッタが遠い側の端部の負荷インピーダンスの存在を検出すると、Rx.検出ステージへ進み、SSTX+/-とSSRX+/-とのリンクはハンドシェイク信号の送信を開始する。
【００４９】
図８に示すようなＡＯＣの実装を採用することによって、ＡＯＣは、内部にＰＤＢとＰＥＢとを備える。ＰＤＢは、負荷インピーダンスを検出するためにホスト又はデバイスSSRX+/-パスを横切って配置され、ＰＥＢは、システムのレシーバ検出アルゴリズムにより使用される負荷インピーダンスをエミュレートするために、ホスト又はデバイスのSSTX+/-パスを横切って配置される。
【００５０】
両コネクタプラグは、検出及び制御するためのＰＥＢ及びＰＤＢブロックと、上述したＰＥＢ／ＰＤＢ機能とに接続されるコントローラブロックを含む。外部電力供給を有するいくつかのデバイスでは、SS.Disabled状態になる２つのケースがある。第１のケースは、ケーブルが接続される前に、ユーザがデバイスを電源に接続するケースである。第２のケースは、ユーザがデバイスのみにケーブルを接続し、当該デバイスの電源を入れるケースである。SS.Disable状態では、デバイスは、D+/D-ピンを介したバスリセット信号によって再起動が要求される。コントローラブロックは、デバイスを再起動させるために必要とされるバスリセット信号を供給するために、D+/D-ピンに接続される。特に、D+/D-の両方は、デバイスをリセットするためにローにされる。
【００５１】
さらに、D+/D-ピンは、デバイスタイプを識別するためにコントローラブロックによってモニタされる。より具体的には、ホストデバイスは、ロジックローにセットされたD+/D-ピンを有し、デバイスは、D+またはD-ピンのいずれかをハイにする。コントローラブロックはまた、電気光変換回路と光電気変換回路とに接続され、ハイスピードモードまたはロースピードモードになるよう電気光変換回路と光電気変換回路とを制御する。詳細な実施フローは後述する。
【００５２】
図９は、本願の他の例におけるプラグイン検出を備えたUSB 3.0 ＡＯＣの動作フローの例を示す。図を参照すると、動作フローは以下のステップを含む。
【００５３】
ステップ１１０１：
ＡＯＣの一端（以降、第１のコネクタプラグ）は、USB 3.0ホストやデバイスに接続され、電力が投入される。
ステップ１２０１：
第１のコネクタプラグは、SSTX+/-パス上のＰＥＢで接地するために全ての終端抵抗を切断する。
ステップ１２０２：
第１のコネクタプラグは、SSRX+/-パス上のＰＤＢ回路を起動する。
【００５４】
ステップ１２０３：
第１のコネクタプラグは、低速の光信号の送受信を準備するために内部回路をセットアップすることにより、リモートサイドのコネクタプラグと低速の光ハンドシェイクを行う低速モードを起動する。プラグイン検出プロセス中に転送された情報量に応じて、低速光信号は、例えば、一つまたは一連のショートパルスや、特定のビットレートの一つまたは一連のパケットなど、コミュニケーションタイミング及び電力の消費条件にあう任意の形式で設計される。
【００５５】
ステップ１３０１：
第１のコネクタプラグは、SSRX+/-パス上の終端抵抗を検出する。終端抵抗が検出されればステップ１３０２に進み、そうでなければステップ１３０４に進む。
ステップ１３０２：
第１のコネクタプラグは、D+/D-パス上の電圧レベルを検出する。D+/D-の両方がローであればステップ１３０３に進み、そうでなければステップ１３０６に進む。
ステップ１３０３：
ホストが接続され、ステップ１３０７に進む。
【００５６】
ステップ１３０４：
第１のコネクタプラグは、両方のピンを少なくとも１０ｍｓの間、ローにすることによって、D+/D-パスを介してUSBバスリセット信号を送信する。
ステップ１３０５：
第１のコネクタプラグは、再びSSRX+/-パス上の終端抵抗を検出する。終端抵抗が検出されるとステップ１３０６に進み、そうでなければステップ１３０１に進む。
ステップ１３０６：
デバイスが接続され、ステップ１３０７に進む。
【００５７】
ステップ１３０７：
第１のコネクタプラグは、終端抵抗の検出結果とデバイスタイプ情報とを知らせるために他端のコネクタプラグ（以降、第２のコネクタプラグと呼ばれる）へ低速の光信号を送信する。
ステップ１３０８：
第１のコネクタプラグは、一定の期間内に第２のコネクタプラグから低速の光信号を受信はずである。第１のコネクタプラグは、正確なタイミングコントロールのための内部タイマを任意に起動し、タイムアウトまで信号を待機する。低速の光応答信号をタイムアウトの前に受け取った場合は、ステップ１３１０に進む。そうでなければステップ１３０９に進む。
【００５８】
ステップ１３０９：
もしタイムアウトした場合、第２のコネクタプラグが起動されていないことを意味する。この場合、ステップ１４０１に進む。そうでなければ再びチェックするためにステップ１３０８に進む。
【００５９】
ステップ１３１０：
もし、両方のコネクタプラグがそれぞれSSRX+/-上でインピーダンスを検出した場合、ステップ１３１１に進む。そうでなければステップ１４０１に進む。
ステップ１３１１：
両方のコネクタプラグは、高速モードを可能とし、ホストかデバイスにより検出されるよう、SSTX+/-パスを横切るＰＥＢにおいて終端抵抗が接地することを可能とする。ステップ１６０１に進む。
【００６０】
ステップ１４０１：
これは待機モードである。第１のコネクタプラグは、入力される光信号が第２のコネクタプラグから受信されるまで待機する。この段階で、第１のケーブルは、任意に低速の電気光変換回路をオフにするか、電力を節約するためにスリープモードにする。スリープモードは、第２のコネクタプラグから入力される光信号を受信することで解除される。ステップ１４０２に進む。
【００６１】
ステップ１４０２：
第１のコネクタプラグは、第２のコネクタプラグからの入力される低速の光信号をチェックする。Yesの場合は、ステップ１５０１に進む。そうでなければ（Noの場合は）、このステップに留まる。任意で、もし低速の電気光変換回路が電力を落とされれば、ステップ１５０１へ進み再起動される。
【００６２】
ステップ１５０１：
第１のコネクタプラグは、ステップ１３０３，１３０６のデバイスタイプ情報と同様に、ステップ１３０１で終端抵抗の検出結果を通知するために低速の光信号を送信する。
ステップ１５０２：
両方のコネクタプラグがそれぞれのSSRX+/-パス上の終端抵抗を検出する場合は、ステップ１５０３に進む。そうでなければステップ１４０１に進む。
ステップ１５０３：
両方のコネクタプラグは、高速モードを可能とし、ホストかデバイスにより検出されるよう、SSTX+/-パスを横切るＰＥＢで終端抵抗が接地することを可能とする。ステップ１６０１に進む。
【００６３】
ステップ１６０１：
デバイスに接続されているコネクタプラグは、デバイスを再起動するためにUSBリセット信号を送信する。
ステップ１６０２：
プラグインの検出プロセスは終了される。
【００６４】
図１０は、従来のHSIOシステムの銅ケーブルの検出メカニズムを示す。図１１は、本願の他の例であるＡＯＣコネクタプラグを使用するHSIOシステムの実施例を示すブロック図である。
【００６５】
図１０を参照すると、ケーブルは両端に２つのアクティブプラグを有するとともに、高速にデータパスを送受信するために接続する４つのＣＤＲ（クロックとデータのリカバリ回路）と、ＣＤＲを構成するための１つのマイクロコントローラと、を有する。ケーブルによって取付けられた装置は、LSR2PTXピン上でプルアップを提供する。LSR2PTXピン上のプルアップは、ケーブルの複数の線のクロスオーバの結果、反対側のデバイスのLSR2PRXピン上でみられる。ケーブルの反対側は、ホストかデバイスに接続されていようとなかろうと同じになる。
【００６６】
具体的に、ホストは、LSR2PTX上のプルアップを作動させる。その一方で、デバイスは、LSR2PTXピン上のプルアップをローにする。デバイスが、LSP2RRXピン上でプルアップされるならば、ホストに接続されることを示す。そして、そのポート上の各々のLSR2PTXピン上のプルアップを作動させる。それによって、一次側のどこかに接続するホストがあると、デイジーチェーンでつながれたデバイスに通知する。このように、ホストが取り外される場合、LSR2PTX上のプルアップは解除される。そして、デバイスは、再びLSR2PTXのプルアップをローにする。それによって、ホストが接続されていないことを、デイジーチェーンでつながれた装置に通知する。
【００６７】
図１１を示すようなＡＯＣ実施例を採用すると、ＡＯＣはＰＤＢとＰＥＢを内部に有する。ＰＤＢは、電圧レベルを検出するようにLSR2P TXパスを横切って配置され、ＰＥＢは、ホストかデバイスが反対側で接続されたかどうか判断するための、ホストかデバイスに接続することによって使用される反対側のLSR2P TXの出力レベルをエミュレートするようにLSP2R RXパスを横切って配置される。
【００６８】
両方のコネクタプラグは、コントローラブロックを含む。コントローラブロックは、検出及び制御するために、ＰＥＢ及びＰＤＢと、上述したＰＥＢ及びＰＤＢ機能と、に接続される。さらに、コントローラブロックは、高速の送受信パス上に配置されたＣＤＲと、送信側ＣＤＲに接続された電気光変換ブロックと、受信側ＣＤＲに接続された光電気変換ブロックと、に接続される。このため、HSIO規格によって指定される異なるモードにするためのＣＤＲと、電気光変換回路と、光電気変換回路と、をコントロールすることができる。詳細な実施例のフローは後述する。
【００６９】
図１２は、本願の他の例である、プラグインを検出するHSIO AOCの動作フローの例を示す。図１２に示すように、動作フローは以下のステップを含む。
【００７０】
ステップ２１０１：
ＡＯＣの一端（以降、第１のコネクタプラグと呼ぶ）がホストかデバイスに接続され、電力投入される。
ステップ２２０１：
第１のコネクタプラグは、HSIO規格によって定義されたハイレベルから、そのプルアップを切断する。
【００７１】
ステップ２２０２：
第１のコネクタプラグは、LSR2P TXパス上のＰＤＢを起動する。
ステップ２２０３：
第１のコネクタプラグは、低速の光信号を送受信するための内部回路をセットアップすることによって、反対側のコネクタプラグとハンドシェイクを行なうための低速モードを起動する。プラグインの検出プロセスの間に転送される情報量に応じて、低速の光信号は、例えば、一つまたは一連のショートパルスや、特定のビットレートの一つまたは一連のパケットなど、コミュニケーションタイミング及び電力の消費条件にあう任意の形式で設計される。
【００７２】
ステップ２３０１：
第１のコネクタプラグはLSR2P TXのレベルを検出する。
ステップ２３０２：
第１のコネクタプラグは、検出されたLSR2P TX電圧レベルを通知するために、反対側のコネクタプラグ（以降、第２のコネクタプラグと呼ばれる）へ低速の光信号を送る。
【００７３】
ステップ２３０３：
第１のコネクタプラグは、一定の期間内に第２のコネクタプラグから、低速の光の応答信号を受信するはずである。第１のコネクタプラグは、正確なタイミングコントロールのための内部タイマを任意にアクティブにし、タイムアウトまで信号を待つ。低速の光の応答信号が、タイムアウト前に受信された場合は、ステップ２３０５に進む。そうでなければステップ２３０４に進む。
ステップ２３０４：
タイムアウトである場合、第２のコネクタプラグは、電力が投入されていないことを意味する。そのため、ステップ２４０１に進み、そうでなければ再びチェックするために、ステップ２３０３に進む。
【００７４】
ステップ２３０５：
第２のコネクタプラグが、LSR2P TXのハイを検出したことを通知した場合は、ステップ２３０６に進む。そうでなければステップ２３０７に進む。
ステップ２３０６：
第１のコネクタプラグは、LSP2R RXパス上のＰＥＢで、プルアップをハイレベルに接続する。
【００７５】
図１０に示された銅ケーブルを備えた検出メカニズムでは、ホストおよびデバイスのLSR2P TX、およびLSP2R RXは、クロスオーバ方式で互いに接続される。LSR2P TXパス上の第２のコネクタプラグで見られる高電圧レベルをエミュレートするために、第１のコネクタプラグは、LSP2R RXパスを通ってＰＥＢの内部のプルアップを、HSIO規格によって定義された高電圧レベルで接続する。
【００７６】
第１のコネクタプラグは、ＡＯＣで知られていないホストか周辺装置に接続されることができる。HSIO規格によれば、ホスト装置は、LSR2PTX上のプルアップを可能にするかもしれない。その一方でデバイスは、LSR2PTX上のプルアップをローにする。周辺機器がLSP2R RX上でハイレベルである場合、ホスト装置に接続されることを示す。そのポートの各々のLSR2P TXピン上でそのプルアップを作動させる。第１のコネクタプラグがLSP2R PXパスを通してPEBの内部の引き上げを作動した後、LSP2R TX上の電圧レベルは、一定の期間後に変わるかもしれない。
【００７７】
このステップの後、ステップ２３０８に進む。
ステップ２３０７：
第１のコネクタプラグは、そのプルアップを、LSP2R RXパス上のPEBのハイレベルから切断する。ステップ２４０１に進む。
ステップ２３０８：
両方のコネクタプラグがLSR2P TXがハイであることを検出する場合は、ステップ２６０１に進む。そうでなければステップ２４０１に進む。
【００７８】
ステップ２４０１：
入力される光信号が、第２のコネクタプラグから受信されるまで、または、接続されたホストか装置から、LSR2P TXパス上の信号レベルが変化するまで、第１のコネクタプラグは待機する。この段階では、第１のケーブルは、任意に低速の電気光変換回路をオフにするか、あるいは、より多くの電力を節約するためにスリープモードに入る。第２のコネクタプラグから入力される光信号を受信するか、任意の外部信号のレベル変化を検出することにより、スリープモードが解除される。ステップ２４０２に進む。
【００７９】
ステップ２４０２：
第１のコネクタプラグは、ＰＤＢのLSR2P TXの信号レベルの変化を検出した場合、ステップ２３０１に進む。そうでなければステップ２４０３に進む。ステップ２４０１で低速の発信回路がパワーダウンされたならば、ステップ２３０１に進む前に再起動される。
【００８０】
ステップ２４０３：
第１のコネクタプラグは、第２のコネクタプラグから入力される低速の光信号があるか否か検出する。通常は、電力が供給される場合と、LSR2P TXパス上のレベル変化を検出するイベントにより信号を送信するための再起動のトリガとなる場合のどちらも、第２のコネクタプラグからの低速の光信号である。Yesの場合は、ステップ２５０１に進む。Noの場合は、ステップ２４０２に戻る。もし低速の発信回路が、ステップ２４０１でパワーダウンされていれば、ステップ２５０１に進む前に再起動される。
【００８１】
ステップ２５０１：
第１のコネクタプラグはLSRSP TXレベルを検出する。
ステップ２５０２：
第１のコネクタプラグは、その検出結果を通知するために低速の光信号を送信する。
【００８２】
ステップ２５０３：
第２のコネクタプラグが、LSR2P TXのハイを検出したと通知する場合、ステップ２５０４に進む。そうでなければステップ２５０５に進む。
ステップ２５０４：
第１のコネクタプラグは、LSP2R RXパス上のＰＥＢにおいて、プルアップをハイレベルに接続する。ステップ２５０６に進む。
【００８３】
ステップ２５０５：
第１のコネクタプラグは、LSP2R RXパス上のＰＥＢにおいて、プルアップをハイレベルから切断する。ステップ２５０６に進む。
ステップ２５０６：
両方のコネクタプラグがLSR2P TXのハイを検出している場合は、ステップ２６０１に進む。そうでなければ２４０１まで進む。
ステップ２６０１：
プラグインの検出プロセスは終了する。
【００８４】
図１３は、ケーブルまたはリンクダウンの状態監視プロセスを示すフローチャートである。図１３を参照すると、リンクがセットアップされた後、ＡＯＣは、システムがローパワーモードか、ケーブルが切断されたかを判断するためにＰＤＢブロックをモニタし続ける。USB 3.0では、リセットされるか、そのポートが無効になる時のどちらでも、装置はハイ・インピーダンスのレシーバターミネーションを有する。HSIOでは、ＡＯＣのＰＤＢは、LSR2P TX上の両側でレベルを検出し続ける。例えば、ホストが切り離される場合、LSR2PTX上のプルアップは切断され、また、このステータスは、切り離しイベントについてシステムに通知するためにケーブルの反対側へ転送される。
【００８５】
上述した実施形態におけるＡＯＣコネクタプラグおよび方法の特徴は、次のものを含む。
ＡＯＣによるアクティブデバイス接続。既存のシステム機器検出プロトコルに完全に互換性があるので、修正が要求されない。ホストまたはデバイスによって検出される電気的特性をエミュレートする。内部のＡＯＣコネクタプラグの同期と、電気的特性を可能（作動）／不能にするためのタイミングコントロール。電力消費量を節約するために異なるモードの支援。スリープモードと、低速（光送信）モードと、高速（光送信）モード。
【００８６】
上述した実施形態において、ＡＯＣは、ケーブルの両側で、プラグインと、接続ノードのタイプと、をアクティブに検出し、両方のコネクタプラグで接続ステータスを決定するために２つのコネクタプラグ間で内部通信を行ない、２つの接続ノード間の通信を始めるために、一端で他端の電気的特性をエミュレートし、プラグインのエミュレーションブロックでスイッチをオン／オフする機能を有する。ＡＯＣは、システムプロトコルを修正することなしに、十分な互換性を有して銅ケーブルを置き換えることができる。
【００８７】
本願発明を多くの実施形態を参照して説明したが、本願発明は、現在の発明の範囲から逸脱せずに、様々な他の変更や改良を行うことができる。
【図１】
2013192223.tif 000004
【図２】
2013192223.tif 000005
【図３】
2013192223.tif 000006
【図４Ａ】
2013192223.tif 000007
【図４Ｂ】
2013192223.tif 000008
【図５Ａ】
2013192223.tif 000009
【図５Ｂ】
2013192223.tif 000010
【図６Ａ】
2013192223.tif 000011
【図６Ｂ】
2013192223.tif 000012
【図７】
2013192223.tif 000013
【図８】
2013192223.tif 000014
【図９】
2013192223.tif 000015
【図１０】
2013192223.tif 000016
【図１１】
2013192223.tif 000017
【図１２】
2013192223.tif 000018
【図１３】
2013192223.tif 000019
【外国語明細書】
2013192223000001.pdf